(57)【要約】【課題】コンテンツ毎に閲覧時における最適のＧＵＩ操作を可能とする。【解決手段】コンテンツ１３を解読するコンテンツ閲覧手段１０と、このコンテンツ閲覧手段により解読されたコンテンツを表示器に表示するコンテンツ再生画面作成手段９と、この表示されたコンテンツに対して操作者との間でＧＵＩ操作を提供する基本ＧＵＩ操作手段１１を有するコンテンツ閲覧装置において、外部からデータを取り込んでデータ記憶手段に書き込むデータ取込み手段と、コンテンツに加え、このコンテンツに対するＧＵＩ操作に最適な専用ＧＵＩ手段を含むコンテンツパッケージデータ１２がこのデータ取込み手段を介して取り込まれた場合、前記コンテンツに対して操作者との間で提供するＧＵＩ操作主体を前記基本ＧＵＩ操作手段から前記専用ＧＵＩ手段を優先して切り替える閲覧動作管理手段８とを有する。【選択図】      図１
2006059076.tif 000002
【特許請求の範囲】
【請求項１】
コンテンツを解読するコンテンツ閲覧手段と、このコンテンツ閲覧手段により解読されたコンテンツを表示器に表示するコンテンツ再生画面作成手段と、この表示されたコンテンツに対して操作者との間でＧＵＩ操作を提供する基本ＧＵＩ操作手段を有するコンテンツ閲覧装置において、
外部からデータを取り込んでデータ記憶手段に書き込むデータ取込み手段と、
前記コンテンツに加え、このコンテンツに対するＧＵＩ操作に最適な専用ＧＵＩ操作手段を含むコンテンツパッケージデータがこのデータ取込み手段を介して取り込まれた場合、前記コンテンツに対して操作者との間で提供するＧＵＩ操作主体を前記基本ＧＵＩ操作手段から前記専用ＧＵＩ操作手段を優先して切り替える閲覧動作管理手段と、
を有することを特徴とするコンテンツ閲覧装置。
【請求項２】
前記データ記憶手段に記憶されたコンテンツパッケージデータは、前記コンテンツおよび専用ＧＵＩ操作手段に加えて、イベント対応スクリプトを含み、
前記入力されたコンテンツパッケージデータに含まれるイベント対応スクリプトを読みとるイベント対応スクリプト取込手段と、
前記表示器に表示されたコンテンツに対するイベント発生時に前記読みとったイベント対応スクリプトに応じたイベント対応処理を行うイベント対応処理実行手段とを有する
ことを特徴とする請求項１記載のコンテンツ閲覧装置。
【請求項３】
コンテンツを解読するコンテンツ閲覧手段と、このコンテンツ閲覧手段により解読されたコンテンツを表示器に表示するコンテンツ再生画面作成手段と、この表示されたコンテンツに対して操作者との間でＧＵＩ操作を提供する基本ＧＵＩ操作手段を有するコンテンツ閲覧装置において、
外部からデータを取り込んでデータ記憶手段に書き込むデータ取込み手段と、
前記コンテンツ、このコンテンツを解読するために最適な閲覧情報に加え、この閲覧情報を読みとって当該コンテンツを解読する拡張閲覧手段を含むコンテンツパッケージデータがこのデータ取込み手段を介して取り込まれた場合、前記拡張閲覧手段は、前記閲覧情報を参照して当該コンテンツを前記コンテンツ閲覧手段に優先して解読する
ことを特徴とするコンテンツ閲覧装置。
【請求項４】
前記コンテンツ閲覧手段の正当性を認証する第１の認証手段と、
外部の機器とネットワークを介して通信する通信部とをさらに有し、
前記データ記憶手段に記憶されたコンテンツパッケージデータは、前記コンテンツおよび拡張閲覧手段に加え、前記拡張閲覧手段の正当性を認証する第２の認証手段を有し、
前記閲覧動作管理手段は、前記通信部を介して外部の第３の認証手段に、前記第１の認証手段による認証結果および前記第２の認証手段による認証結果を比較認証させる
ことを特徴とする請求項３記載のコンテンツ閲覧装置。
【請求項５】
コンテンツ閲覧手段によりコンテンツを解読するステップと、コンテンツ再生画面作成手段によりこの解読されたコンテンツを表示器に表示するステップと、基本ＧＵＩ操作手段により前記表示されたコンテンツに対して操作者との間でＧＵＩ操作を提供するステップを少なくとも含むコンテンツ閲覧装置におけるコンテンツ閲覧方法において、
データ取込み手段により、外部からデータを取り込んでデータ記憶手段に書き込むステップと、
前記コンテンツに加え、このコンテンツに対するＧＵＩ操作に最適な専用ＧＵＩ操作手段を含むコンテンツパッケージデータが前記データ取込み手段を介して取り込まれた場合、閲覧動作管理手段により、前記コンテンツに対して操作者との間で提供するＧＵＩ操作主体を前記基本ＧＵＩ操作手段から前記専用ＧＵＩ操作手段を優先して切り替えるステップと、
を有することを特徴とするコンテンツ閲覧方法。
【請求項６】
前記データ記憶手段に記憶されたコンテンツパッケージデータは、前記コンテンツおよび専用ＧＵＩ操作手段に加えて、イベント対応スクリプトを有し、
イベント対応スクリプト取込手段により、前記入力されたコンテンツパッケージデータに含まれるイベント対応スクリプトを読みとるステップと、
イベント対応処理実行手段により、前記表示器に表示されたコンテンツに対するイベント発生時に前記読みとったイベント対応スクリプトに応じたイベント対応処理を行うステップとを有する
ことを特徴とする請求項５記載のコンテンツ閲覧方法。
【請求項７】
コンテンツ閲覧手段によりコンテンツを解読するステップと、コンテンツ再生画面作成手段によりこの解読されたコンテンツを表示器に表示するステップと、基本ＧＵＩ操作手段により前記表示されたコンテンツに対して操作者との間でＧＵＩ操作を提供するステップを少なくとも含むコンテンツ閲覧装置におけるコンテンツ閲覧方法において、
データ取込み手段により、外部からデータを取り込んでデータ記憶手段に書き込むステップと、
前記コンテンツ、このコンテンツを解読するために最適な閲覧情報に加え、この閲覧情報を読みとって当該コンテンツを解読する拡張閲覧手段を含むコンテンツパッケージデータがこのデータ取込み手段を介して取り込まれた場合、前記拡張閲覧手段により、前記閲覧情報を参照して当該コンテンツを前記コンテンツ閲覧手段に優先して解読するステップとを有する
ことを特徴とするコンテンツ閲覧方法。
【請求項８】
第１の認証手段により、前記コンテンツ閲覧手段の正当性を認証するステップと、
外部の機器とネットワークを介して通信するステップと、
前記取り込まれたコンテンツパッケージデータに含まれる第２の認証手段により、前記拡張閲覧手段の正当性を認証するステップと、
前記閲覧動作管理手段により、前記通信した結果、外部の第３の認証手段に、前記第１の認証手段による認証結果および前記第２の認証手段による認証結果を比較認証させるステップとを有する
ことを特徴とする請求項７記載のコンテンツ閲覧方法。
【発明の詳細な説明】
【技術分野】
【０００１】
本発明は、有料または無料で不特定多数に配布されるコンテンツパッケージデータに記憶されたコンテンツを閲覧するためのコンテンツ閲覧装置、およびコンテンツ閲覧方法に関する。
【背景技術】
【０００２】
近年、文書や画像が電子データに変換されて例えばメモリカード（コンテンツパッケージデータ）等に書込まれた電子書籍が一般に流通されている。この電子書籍等のコンテンツパッケージデータに記憶された文書や画像等の電子データからなるコンテンツを閲覧するためのコンテンツ閲覧装置が一般に市販されている。また、コンテンツを閲覧するためのコンテンツ閲覧ソフトも一般に市販されている。このコンテンツ閲覧ソフトを市販のＰＣ（パーソナルコンピュータ）にインストールすれば、この市販のＰＣがコンテンツ閲覧装置となる。
【０００３】
このようなコンテンツ閲覧装置にはコンテンツ閲覧ソフトが組込まれている。このコンテンツ閲覧ソフトには、主に、コンテンツパッケージデータから読みとったコンテンツを解読するコンテンツ閲覧部、解読されたコンテンツを表示器に表示するコンテンツ再生画面作成部、表示されたコンテンツに対して操作者との間で基本的なＧＵＩ（グラフィカル・ユーザ・インタフェース）操作を行うＧＵＩ部等の各ソフトウエアが組込まれている。
【０００４】
しかし、電子書籍等のコンテンツパッケージデータに記憶された文書や画像が複雑になり、この文書や画像を電子データ化したコンテンツのデータ形式やファイル形式が複雑、多様化しているので、コンテンツ閲覧装置のコンテンツ閲覧ソフトに組込まれたコンテンツ閲覧部が、コンテンツパッケージデータから読みとったコンテンツを解読できない場合がある。
【０００５】
特許文献１には、電子書籍のレンタルシステムにおいて、レンタル業者から顧客に貸し出す電子書籍コンテンツに、文書や画像を電子データ化したコンテンツの他に、このコンテンツを解読するためのソフトウエア（リーダ）を記憶し、顧客は、電子書籍コンテンツに記憶されているソフトウエア（リーダ）を用いて、電子書籍コンテンツに記憶されたコンテンツを解読して、表示する技術が開示されている。
【０００６】
また、コンテンツを解読するコンテンツ閲覧部の種類が異なる複数種類のコンテンツ閲覧装置が市販されている。
【特許文献１】特開２００２―１８９９５８号公報
【発明の開示】
【発明が解決しようとする課題】
【０００７】
しかしながら、上述した各コンテンツ閲覧装置においても、まだ改良すべき次のような課題があった。  
すなわち、前述したように、近年、コンテンツ閲覧装置に組込まれる電子書籍のコンテンツの閲覧を行うソフトウエアの種類が増えてきている。しかしながら、本質的に、電子書籍のコンテンツを解読して表示する機能と、表示されたコンテンツに対して操作者との間で行うＧＵＩ操作機能とは、全く別のものである。
【０００８】
したがって、「次ページ表示」、「前ページ表示」のページめくりや再生などの操作系のＧＵＩ機能については、このコンテンツ閲覧装置に当初から組込まれている前述した基本的なＧＵＩ操作を行うＧＵＩ部を利用するしかなかった。
【０００９】
しかしながら、文書や画像を電子データ化したコンテンツの作者にとって、コンテンツの内容に応じて、例えば、ページめくりや再生などの操作ボタンの形状、位置、数等のＧＵＩを変更したい要求がある。
【００１０】
さらに、製造、市販されて使用中のコンテンツ閲覧装置において、このコンテンツ閲覧装置に組込まれたコンテンツ閲覧部の機能では対応（閲覧）することができない機能、例えば、新規フォーマットを有したコンテンツが開発されるようになった。このほか、このコンテンツ閲覧装置に組込まれたコンテンツ閲覧部の機能で対応（閲覧）できたとしても、新規フォーマットに組込まれたコンテンツ特有の演出（特殊な画像背景や音声出力等）に対応できるとは限らない。
【００１１】
本発明はこのような事情に鑑みてなされたものであり、表示器に表示されたコンテンツに対して操作者との間で行うＧＵＩ操作機能を、コンテンツパッケージデータに記憶されたコンテンツの内容に対応したものに自動的に変更でき、操作者に対して、各コンテンツに対する閲覧時のＧＵＩ操作の便宜性を与えるとともに、新規なフォーマットで作成されたコンテンツに対する閲覧を可能にすることができるコンテンツ閲覧装置、およびコンテンツ閲覧方法を提供することを目的とする。
【００１２】
さらに、コンテンツパッケージデータを入力するのみで自動的に簡単にコンテンツ閲覧機能を追加（拡張）でき、コンテンツパッケージデータに記憶されたコンテンツを確実に解読して表示でき、操作者に対して、閲覧可能な各コンテンツの種類数を大幅に増加できるコンテンツ閲覧装置、およびコンテンツ閲覧方法を提供することを目的とする。
【課題を解決するための手段】
【００１３】
上記課題を解消するために、本発明は、コンテンツを解読するコンテンツ閲覧手段と、このコンテンツ閲覧手段により解読されたコンテンツを表示器に表示するコンテンツ再生画面作成手段と、この表示されたコンテンツに対して操作者との間でＧＵＩ操作を提供する基本ＧＵＩ操作手段を有するコンテンツ閲覧装置において、外部からデータを取り込んでデータ記憶手段に書き込むデータ取込み手段と、前記コンテンツに加え、このコンテンツに対するＧＵＩ操作に最適な専用ＧＵＩ操作手段を含むコンテンツパッケージデータがこのデータ取込み手段を介して取り込まれた場合、前記コンテンツに対して操作者との間で提供するＧＵＩ操作主体を前記基本ＧＵＩ操作手段から前記専用ＧＵＩ操作手段を優先して切り替える閲覧動作管理手段とを有する。
【００１４】
さらに、本発明は、コンテンツ閲覧手段によりコンテンツを解読するステップと、コンテンツ再生画面作成手段によりこの解読されたコンテンツを表示器に表示するステップと、基本ＧＵＩ操作手段により前記表示されたコンテンツに対して操作者との間でＧＵＩ操作を提供するステップを少なくとも含むコンテンツ閲覧装置におけるコンテンツ閲覧方法において、データ取込み手段により、外部からデータを取り込んでデータ記憶手段に書き込むステップと、前記コンテンツに加え、このコンテンツに対するＧＵＩ操作に最適な専用ＧＵＩ操作手段を含むコンテンツパッケージデータがデータ取込み手段を介して取り込まれた場合、閲覧動作管理手段により、前記コンテンツに対して操作者との間で提供するＧＵＩ操作主体を前記基本ＧＵＩ操作手段から前記専用ＧＵＩ操作手段を優先して切り替えて適用するステップとを有する。
【００１５】
さらに、本発明は、コンテンツを解読するコンテンツ閲覧手段と、このコンテンツ閲覧手段により解読されたコンテンツを表示器に表示するコンテンツ再生画面作成手段と、この表示されたコンテンツに対して操作者との間でＧＵＩ操作を提供する基本ＧＵＩ操作手段を有するコンテンツ閲覧装置において、外部からデータを取り込んでデータ記憶手段に書き込むデータ取込み手段と、前記コンテンツ、このコンテンツを解読するために最適な閲覧情報に加え、この閲覧情報を読みとって当該コンテンツを解読する拡張閲覧手段を含むコンテンツパッケージデータがこのデータ取込み手段を介して取り込まれた場合、前記拡張閲覧手段は、前記閲覧情報を参照して当該コンテンツを前記コンテンツ閲覧手段に優先して解読することを特徴とする。
【００１６】
その他、本発明は、コンテンツ閲覧手段によりコンテンツを解読するステップと、コンテンツ再生画面作成手段によりこの解読されたコンテンツを表示器に表示するステップと、基本ＧＵＩ操作手段により前記表示されたコンテンツに対して操作者との間でＧＵＩ操作を提供するステップを少なくとも含むコンテンツ閲覧装置におけるコンテンツ閲覧方法において、データ取込み手段により、外部からデータを取り込んでデータ記憶手段に書き込むステップと、前記コンテンツ、このコンテンツを解読するために最適な閲覧情報に加え、この閲覧情報を読みとって当該コンテンツを解読する拡張閲覧手段を含むコンテンツパッケージデータがこのデータ取込み手段を介して取り込まれた場合、前記拡張閲覧手段により、前記閲覧情報を参照して当該コンテンツを前記コンテンツ閲覧手段に優先して解読するステップとを有することを特徴とする。
【発明の効果】
【００１７】
本発明は、コンテンツパッケージデータにコンテンツの他に、このコンテンツに最適な専用ＧＵＩ操作部を設けている。したがって、表示器に表示されたコンテンツに対して操作者との間で行うＧＵＩ操作機能を、コンテンツパッケージデータに記憶されたコンテンツの内容に対応したものに自動的に変更でき、操作者に対して、各コンテンツに対する閲覧時のＧＵＩ操作の便宜性とコンテンツに対する閲覧の楽しみを与えることができる。
【００１８】
また、本発明は、コンテンツパッケージデータにコンテンツの他に、このコンテンツを解読するための拡張閲覧部を設けている。したがって、コンテンツパッケージデータを入力するのみで自動的に簡単にコンテンツ閲覧機能を追加（拡張）でき、コンテンツパッケージデータに記憶されたコンテンツを確実に解読して表示でき、操作者に対して、閲覧可能な各コンテンツの種類数を大幅に増加できる。
【発明を実施するための最良の形態】
【００１９】
以下、本発明の各実施形態を図面を用いて説明する。
【００２０】
（第１実施形態）
図１は本発明の第１実施形態に係わるコンテンツ閲覧方法が適用されるコンテンツ閲覧装置の概略装置を示すブロック構成図である。
【００２１】
このコンテンツ閲覧装置はコンピュータからなる一種の情報処理装置で構成されている。システムバス１に対して、ＣＰＵ２、表示器３、キーボードやマウス等の操作部４、例えばＨＤＤ等で形成されたデータ記憶手段としての記憶部５、主メモリ６、ＩＣカードリーダ７等が接続されている。
【００２２】
記憶部５内には、それぞれアプリケーション・プログラム上に形成された、閲覧動作管理部８、コンテンツ再生画面作成部９、コンテンツ閲覧部１０、基本ＧＵＩ操作部１１が記憶されている。
【００２３】
ＩＣカードリーダ７には、必要に応じて、コンテンツパッケージデータとしての２種類のメモリカード１２、１２ａが装着される。一方のメモリカード１２内には、文書や画像を電子化したコンテンツ１３、イベント対応スクリプト１４、コンテンツ専用ＧＵＩ操作部１５が記憶されている。また、他方のメモリカード１２ａ内には、コンテンツ１３ａ、コンテンツ専用ＧＵＩ操作部１５ａが記憶されている。
【００２４】
コンテンツ専用ＧＵＩ操作部１５、１５ａは、コンテンツ１３、１３ａをコンテンツ閲覧装置の表示器３に表示された状態で操作者との間でＧＵＩ操作を行うためのソフトウエアであり、具体的には、このメモリカード１２、１２ａに記憶されたコンテンツ１３、１３ａのイメージや目的に最も合致した、例えば、ページめくりや再生などの操作ボタンの形状、位置、数等を規定する。
【００２５】
イベント対応スクリプト１４は、コンテンツ１３を表示器３に表示した場合にこのコンテンツ１３におけるイベント発生時にイベント対応処理を行うためのソフトウエアであり、具体的には、例えば、ＧＵＩ操作機能を用いて電子書籍の「次ページ表示」機能選択時にページを切り替える際に、そのコンテンツ１３のイメージや世界観にあったアニメーション表示や音声の再生等を実施する。
【００２６】
コンテンツ閲覧部１０はＩＣカードリーダ７で読みとったコンテンツ１３、１３ａを解読する。コンテンツ再生画面作成部９はコンテンツ閲覧部１０で解読されたコンテンツ１３、１３ａを表示器３に表示出力する。基本ＧＵＩ操作部１１は、表示器３により表示されたコンテンツ１３、１３ａに対して操作者との間でこのコンテンツ閲覧装置に対して予め準備された基本的（デフォルト）なＧＵＩ操作を行う。閲覧動作管理部８は、メモリカード１２、１２ａに記憶されたコンテンツ１３、１３ａの閲覧に関するコンテンツ閲覧装置を構成する各部に関して全体制御を実施する。
【００２７】
そして、閲覧動作管理部８が組込まれたコンテンツ閲覧装置は、図２の流れ図に従ってメモリカード１２、１２ａに記憶されたコンテンツ１３、１３ａの閲覧処理を実施する。
【００２８】
いずれか一方のメモリカード１２、１２ａがＩＣカードリーダ７に装着されると（ステップＳ１）、閲覧動作管理部８は、メモリカード１２、１２ａに記憶されている情報の項目を読みとる（ステップＳ２）。ここでいう「メモリカード１２、１２ａに記憶されている情報の項目」とは、図１におけるメモリカード１２、１２ａ内に記憶されている、コンテンツ１３、イベント対応スクリプト１４、コンテンツ専用ＧＵＩ操作部１５、コンテンツ１３ａ、およびコンテンツ専用ＧＵＩ操作部１５ａを指すものである。
【００２９】
さらに、このとき、閲覧動作管理部８は、メモリカード１２、１２ａに記憶されているコンテンツ１３、１３ａ、イベント対応スクリプト１４、およびコンテンツ専用ＧＵＩ１５、１５ａを強制的に記憶部５に記憶するようにしても良いし、一時的なデータとして主メモリ６に記憶するように構成してもよいものである。
【００３０】
メモリカード１２、或いはメモリカード１２ａにイベント対応スクリプト１４が記憶されている場合には（ステップＳ３）、閲覧動作管理部８はこのイベント対応スクリプト１４を読みとり、記憶部５に書込む（ステップＳ４）。メモリカード１２、或いはメモリカード１２ａにコンテンツ専用ＧＵＩ操作部１５が記憶されている場合には（ステップＳ５）、閲覧動作管理部８は、このコンテンツ専用ＧＵＩ操作部１５を読みとり、記憶部５に書込む（ステップＳ６）。なお、メモリカード１２、或いはメモリカード１２ａにコンテンツ専用ＧＵＩ操作部１５、１５ａが記憶されていない場合には（ステップＳ５）、閲覧動作管理部８は、自装置（コンテンツ閲覧装置）の記憶部５に記憶されている基本ＧＵＩ操作部１１を読みとって主メモリ６に書込む（ステップＳ７）。
【００３１】
以上の準備が完了すると、閲覧動作管理部８は、ＩＣカードリーダ７でメモリカード１２、或いはメモリカード１２ａに記憶されている所定量のコンテンツ１３、１３ａを読みとる（ステップＳ８）。この読みとった所定量のコンテンツ１３、１３ａをコンテンツ閲覧部１０を用いて解釈し（ステップＳ９）、コンテンツ再生画面作成部９がコンテンツ閲覧部１０で解読されたコンテンツ１３、１３ａを表示器３に表示出力する（ステップ１０）。
【００３２】
この場合、もともと記憶部５に記憶されている基本ＧＵＩ操作部１１またはＩＣカードリーダ７を介して記憶部５に記憶されたコンテンツ専用ＧＵＩ操作部１５は、コンテンツ１３、１３ａが表示器３に表示された状態で操作者との間でＧＵＩ操作を行い、前述したＧＵＩ操作に必要なページめくりや再生などの操作ボタン等の画面を表示する（ステップ１１）。
【００３３】
さらに、記憶部５にイベント対応スクリプト１４が記憶された場合には、閲覧動作管理部８は、このイベント対応スクリプト１４に従って、コンテンツ１３のイベント発生時における、前述した画像や音を出力する制御をする（ステップＳ１２）。つまり、コンテンツ１３のイベントが発生した場合に、このイベント要求に対応するイベントを処理する。
【００３４】
所定量のコンテンツ１３、１３ａに対する表示処理が終了し、未表示のコンテンツ１３、１３ａが残っていれば（ステップＳ１３）、ステップＳ８へ戻り、メモリカード１２、１２ａに記憶されている次の所定量のコンテンツ１３、１３ａを読みとる。
【００３５】
未表示のコンテンツ１３、１３ａが無ければ、または操作者の閲覧終了操作が実施されると（ステップＳ１３）、閲覧動作管理部８のコンテンツ閲覧処理を終了する。
【００３６】
このように構成された第１実施形態のコンテンツ閲覧装置においては、メモリカード１２、１２ａには、コンテンツ１３、１３ａに加えて、このコンテンツ１３、１３ａを閲覧するのに最適なコンテンツ専用ＧＵＩ操作部１５、１５ａを記憶している。そして、このメモリカード１２、１２ａをコンテンツ閲覧装置のＩＣカードリーダ７へ装着すると、このメモリカード１２、１２ａに記憶されているコンテンツ専用ＧＵＩ操作部１５、１５ａがコンテンツ閲覧装置の主メモリ６へ書込まれる。コンテンツ閲覧装置は、この主メモリ６に読みとったコンテンツ専用ＧＵＩ操作部１５、１５ａを用いて表示器３に表示されたコンテンツ１３、１３ａに対して操作者との間でＧＵＩ操作を行う。
【００３７】
したがって、表示器３に表示されたコンテンツ１３、１３ａに対して操作者との間で行うＧＵＩ操作機能を、メモリカード１２、１２ａに記憶されたコンテンツ１３、１３ａの内容に対応したものに自動的に変更できる。
【００３８】
例えば、Macromedia（登録商標）社のFlash Player（登録商標）のswfファイルで表示が可能なコンテンツ１３、１３ａの配布時に、コンテンツ専用ＧＵＩ操作部１５、１５ａについてもswfファイルで画像やアニメーションを作成しておき、それらを併せた形で１つのコンテンツパッケージデータ（メモリカード１２、１２ａ）として市場に流通させる。このコンテンツ１３、１３ａに対する閲覧時は、コンテンツパッケージデータ（メモリカード１２，１２ａ）にコンテンツ専用ＧＵＩ操作部１５，１５ａが入っていればそれを使用することで、コンテンツ１３，１３ａそのものだけでなくＧＵＩ操作系についてもコンテンツ作成者が意図した世界感の表現が可能となる。
【００３９】
なお、メモリカード１２、１２ａにコンテンツ専用ＧＵＩ操作部１５、１５ａが記憶されていなかった場合は、このコンテンツ閲覧装置の記憶部５内に元々記憶されていた基本ＧＵＩ操作部１１を用いて、表示器３に表示されたコンテンツ１３、１３ａに対して操作者との間でＧＵＩ操作が実施される。
【００４０】
さらに、この第１実施形態のコンテンツ閲覧装置においては、メモリカード１２にイベント対応スクリプト１４が記憶されているので、このイベント対応スクリプト１４を用いて、表示器３に表示されている状態のコンテンツ１３の改ページ等のイベント発生時における、該当コンテンツ１３特有の画像や音を出力することができる。
【００４１】
（第２実施形態）
図３は本発明の第２実施形態に係わるコンテンツ閲覧方法が適用されるコンテンツ閲覧装置の概略装置を示すブロック構成図である。図１に示す第１実施形態のコンテンツ閲覧装置と同一部分には同一符号を付して、重複する部分の詳細説明を省略する。
【００４２】
この第２実施形態のコンテンツ閲覧装置においては、コンテンツパッケージデータとしてのメモリカード１２ｂ内には、コンテンツ１３ｂ、拡張閲覧部１６ｂ、再利用可否情報１７ｂが記憶されている。さらに、コンテンツ閲覧装置の主メモリ６内には、再利用フラグ１８が設けられている。
【００４３】
拡張閲覧部１６ｂは、メモリカード１２ｂ内に記憶されたコンテンツ１３ｂをコンテンツ閲覧装置のコンテンツ閲覧部１０が解釈しようとする場合に、このコンテンツ１３ｂにはこのコンテンツ閲覧部１０では解釈できない新フォーマットで構成されると見なして、この新フォーマットを解読するための拡張閲覧ソフトウエアである。したがって、この拡張閲覧部１６ｂがコンテンツ閲覧装置の記憶部５に書込みされることによって、閲覧動作管理部８は、コンテンツ１３ｂの解読主体をコンテンツ閲覧部１０から拡張閲覧部１６ｂに優先的に代替し、拡張閲覧部１６ｂが新フォーマットを有するコンテンツ１３ｂを解読する。
【００４４】
再利用可否情報１７ｂは、上記拡張閲覧部１６ｂが、このメモリカード１２ｂ内に記憶されたコンテンツ１３ｂ以外のコンテンツにも再利用を許可するか否かの情報であり、コンテンツ１３ｂのデータごとに設定されているものとする。なお、メモリカード１２ｂ内に再利用可否情報１７ｂが記憶されていない場合は、コンテンツ閲覧装置の操作者が再利用可否を設定できるように構成されているものとする。
【００４５】
拡張閲覧部１６ｂが組込まれたコンテンツ閲覧装置の閲覧動作管理部８は、図４の流れ図に従ってメモリカード１２ｂに記憶されたコンテンツ１３ｂの閲覧処理を実施する。  
メモリカード１２ｂがＩＣカードリーダ７に装着されると（ステップＱ１）、閲覧動作管理部８は、メモリカード１２ｂに記憶されている情報の項目を読みとる（ステップＱ２）。ここでいう「メモリカード１２ｂに記憶されている情報の項目」とは、図３におけるメモリカード１２ｂ内に記憶されている、コンテンツ１３ｂ、拡張閲覧部１６ｂ、および再利用可否情報１７ｂを指すものである。
【００４６】
さらに、このとき、閲覧動作管理部８は、メモリカード１２ｂに記憶されているコンテンツ１３ｂ、拡張閲覧部１６ｂ、および再利用可否情報１７ｂを強制的に記憶部５に記憶するようにしても良いし、一時的なデータとして主メモリ６に記憶するように構成してもよいものである。メモリカード１２ｂに拡張閲覧部１６ｂが記憶されている場合は（ステップＱ３）、閲覧動作管理部８は、この拡張閲覧部１６ｂを読みとり、記憶部５に書込みする（ステップＱ４）。
【００４７】
再利用可否情報１７ｂが記憶されている場合は（ステップＱ５）、主メモリ６の再利用フラグ１８を再利用可否情報１７ｂの指示に従って設定する。具体的には、再利用可否情報１７ｂが再利用可能を示す場合は再利用フラグ１８を「１」に設定し、再利用可否情報１７が再利用不可能を示す場合は再利用フラグ１８を「０」に設定する（ステップＱ６）。
【００４８】
なお、メモリカード１２ｂに再利用可否情報１７ｂが記憶されていない場合は（ステップＱ５）、操作部４を介して操作者により再利用可否指示が入力されるのを待って（ステップＱ７）、再利用フラグ１８を再利用可否指示に従って設定する（ステップＱ８）。
【００４９】
以上の準備が完了すると、閲覧動作管理部８は、ＩＣカードリーダ７でメモリカード１２ｂに記憶されている所定量のコンテンツ１３ｂを読みとる（ステップＱ９）。この読みとった所定量のコンテンツ１３ｂを書込みされた拡張閲覧部１６ｂを用いて解釈し（ステップＱ１０）、コンテンツ再生画面作成部９が拡張閲覧部１６ｂで解読されたコンテンツ１３ｂを表示器３に表示出力する（ステップＱ１１）。この場合、記憶部５に記憶された基本ＧＵＩ操作部１１は、コンテンツ１３ｂが表示器３に表示された状態で操作者との間でＧＵＩ操作を行い、前述したＧＵＩ操作に必要なページめくりや再生などの操作ボタン等の画面を表示する。
【００５０】
所定量のコンテンツ１３ｂに対する表示処理が終了し、未表示のコンテンツ１３ｂが残っていれば（ステップＱ１２）、ステップＱ９へ戻り、メモリカード１２ｂに記憶されているコンテンツ１３ｂにおける次の所定量のコンテンツ１３ｂを読みとる。
【００５１】
未表示のコンテンツ１３ｂが無ければ、または操作者の閲覧終了操作が実施されると（ステップＱ１２）、コンテンツ１３ｂに対する閲覧処理を終了する。そして、主メモリ６の再利用フラグ１８の設定状態を調べる。再利用フラグ１８が「１」に設定されている場合は（ステップＱ１３）、拡張閲覧部１６ｂを他のコンテンツ１３ｂの解釈に再利用できるため、他のメモリカードにより記憶部５に書き込まれたコンテンツに対して閲覧するために流用することができる。
【００５２】
再利用フラグ１８が「０」に設定されている場合は（ステップＱ１３）、拡張閲覧部１６を他のコンテンツの解読に再利用不可能できないため、閲覧動作管理部８は、先に記憶部５に書込んだ拡張閲覧部１６を消去した後（ステップＱ１４）、閲覧動作管理部８のコンテンツ閲覧処理を終了する。
【００５３】
なお、再利用可否情報１７ｂが再利用不可能を示す場合は、再利用フラグ１８を「０」に設定し、閲覧動作管理部８は、拡張閲覧部１６を読みとり、主メモリ６に書込む。この主メモリ６に書込まれた拡張閲覧部１６ｂは、この主メモリ６上で実行されるコンテンツ閲覧部１０に対して上書き的に追加書き込みされることも可能である。また、記憶部５に拡張閲覧部１６ｂが書き込まれる際に、コンテンツ閲覧部１０に対して上書き的に追加書き込みすることも可能である。
【００５４】
このように構成された第２実施形態のコンテンツ閲覧装置においては、メモリカード１２ｂ内には、コンテンツ１３ｂの他に、拡張閲覧部１６ｂおよび再利用可否情報１７ｂが記憶されている。そして、このメモリカード１２ｂをコンテンツ閲覧装置のＩＣカードリーダ７へ装着した時点で、このメモリカード１２ｂに記憶されている拡張閲覧部１６ｂがコンテンツ閲覧装置の記憶部５に書込みされる。書込された拡張閲覧部１６ｂは、記憶部５に書き込まれたコンテンツ１３ｂを解読する。
【００５５】
このようにコンテンツ閲覧装置のコンテンツ閲覧部１０が対応していない新しいフォーマットのコンテンツ１３ｂであっても、新しいフォーマットのコンテンツ１３ｂを閲覧することができる。
【００５６】
例えば、Macromedia （登録商標）社のFlash Player（登録商標）のswfファイルを閲覧可能なコンテンツ閲覧部１０に対して、ＴＴＺ形式ファイルなどまったく違う形式のコンテンツ１３ｂを表示（解釈）させようとした場合に、メモリカード１２ｂにＴＴＺ形式ファイルに対応した閲覧機能の拡張閲覧部１６ｂを入れておくことで、読者のコンテンツ閲覧装置のコンテンツ閲覧部１０はそのままで新しいフォーマットのコンテンツ１３ｂの閲覧が可能となる。
【００５７】
さらに、このメモリカード１２ｂには、拡張閲覧部１６ｂの他のコンテンツに対する再利用の可否を示す再利用可否情報１７ｂが記憶されている。したがって、コンテンツ１３ｂの文書や画像の作者は、例えば自己が作成した拡張閲覧部１６ｂを不特定多数の人に利用されることを未然に防ぐことも可能となる。
【００５８】
逆に、再利用が許可されている場合は、コンテンツ閲覧装置の操作者（所持者）は、この拡張閲覧部１６ｂを使用後に消去せずに記憶保持し、他のコンテンツ１３の閲覧時に使用可能である。
【００５９】
なお、メモリカード１２ｂ内に、コンテンツ１３ｂ、拡張閲覧部１６ｂ、再利用可否情報１７ｂに加えて、第１実施形態のコンテンツ閲覧装置で採用したコンテンツ専用ＧＵＩ操作部１５を記憶するようにしてもよい。
【００６０】
（第３実施形態）
図５は本発明の第３実施形態に係わるコンテンツ閲覧方法が適用されるコンテンツ閲覧装置の概略装置を示すブロック構成図である。図３に示す第２実施形態のコンテンツ閲覧装置と同一部分には同一符号を付して、重複する部分の詳細説明を省略する。
【００６１】
この第３実施形態のコンテンツ閲覧装置１９は、図６に示すように、必要に応じて、ネットワーク２０を介して外部の認証サーバ２１と通信回線を形成して、この認証サーバ２１に記憶された第３の認証部２２が後記する第１の認証部２５および第２の認証部２４の認証情報に対して比較認証評価を行い、各認証部の正当性を判断する。したがって、この第３実施形態のコンテンツ閲覧装置においては、図５に示すように、ネットワーク２０を介して認証サーバ２１と通信するための通信部２３が設けられている。
【００６２】
この第３実施形態のコンテンツ閲覧装置においては、コンテンツパッケージデータとしてのメモリカード１２ｃ内には、コンテンツ１３ｃ、拡張閲覧部１６ｃ、第２の認証部２４ｃが記憶されている。さらに、コンテンツ閲覧装置の記憶部５内には、閲覧動作管理部８、コンテンツ再生画面作成部９、コンテンツ閲覧部１０、基本ＧＵＩ操作部１１の他に、第１の認証部２５が記憶されている。
【００６３】
第１の認証部２５は、記憶部５内のコンテンツ閲覧部１０の正当性の認証を行う機能を有する。すなわち、第１の認証部２５は、例えばコンテンツ閲覧部１０に対してワームやウィルスが侵入したことを検出してコンテンツ閲覧装置１９のユーザに警告を発する。例えば、ハッシュによる改竄防止、電子署名等がある。
【００６４】
第２の認証部２４ｃは、メモリカード１２ｃに記憶されたコンテンツ１３ｃおよび拡張閲覧部１６ｃの認証を行う機能を有する。すなわち、第２の認証部２４ｃは、例えば拡張閲覧部１６ｃの正しいデータ構成情報を予め記憶し、この拡張閲覧部１６ｃに対してワームやウイルスが侵入したことを検出してコンテンツ閲覧装置１９のユーザに警告を発する。例えば、ハッシュによる改竄防止、電子署名等がある。
【００６５】
閲覧動作管理部８が組込まれたコンテンツ閲覧装置１９は、図７の流れ図に従ってメモリカード１２ｃに記憶されたコンテンツ１３ｃの閲覧処理を実施する。
【００６６】
閲覧動作管理部８は、第１の認証部２５に、記憶部５に記憶されているコンテンツ閲覧部１０の正当性をチェックさせる（ステップＰ１）。そして、この第１の認証部２５によるコンテンツ閲覧部１０に対する認証結果を主メモリ６に書き込む（ステップＰ２）。このとき、第１の認証部２５による認証結果を記憶部５に書き込むように構成してもよいものとする。コンテンツ閲覧部１０に対して改竄されているなど、正当性が確認できなければ（ステップＰ３）、異常メッセージを表示し（ステップＰ１６）、コンテンツ１３ｃに対する閲覧を中止する。
【００６７】
コンテンツ閲覧部１０が正当であり（ステップＰ３）、メモリカード１２ｃがＩＣカードリーダ７に装着されると（ステップＰ４）、閲覧動作管理部８は、メモリカード１２ｃに記憶されている情報の項目を読みとる（ステップＰ５）。ここでいう「メモリカード１２ｃに記憶されている情報の項目」とは、図５におけるメモリカード１２ｃ内に記憶されている、コンテンツ１３ｃ、拡張閲覧部１６ｃ、および第２の認証部２４ｃを指すものである。
【００６８】
さらに、このとき、閲覧動作管理部８は、メモリカード１２ｃに記憶されているコンテンツ１３ｃ、拡張閲覧部１６ｃ、および第２の認証部２４ｃを強制的に記憶部５に記憶するようにしても良いし、一時的なデータとして主メモリ６に記憶するように構成してもよいものである。拡張閲覧部１６ｃがメモリカード１２ｃに記憶されている場合は（ステップＰ６）、この拡張閲覧部１６ｃをメモリカード１２ｃから読みとり、記憶部５の記憶部５に追加書込みする（ステップＰ７）。
【００６９】
次に、メモリカード１２ｃに記憶されている第２の認証部２４ｃを読出して、自装置（コンテンツ閲覧装置１９）の主メモリ６に書込む（ステップＰ８）。そして、閲覧動作管理部８は、第２の認証部２４ｃに、記憶部５に書込んだ拡張閲覧部１６ｃの正当性をチェックさせる（ステップＰ９）。そして、この第２の認証部２４ｃによる拡張閲覧部１６ｃに対する認証結果を主メモリ６に書き込む（ステップＰ１０）。このとき、第１の認証部２５による認証結果を記憶部５に書き込むように構成してもよいものとする。拡張閲覧部１６に対して改竄されているなど、正当性が確認できなければ（ステップＰ１１）、異常メッセージを表示し（ステップＰ１６）、コンテンツ１３ｃに対する閲覧を中止する。
【００７０】
拡張閲覧部１６が正当ならば（ステップＰ１１）、閲覧動作管理部８が通信部２３を起動し、ネットワーク２０を介して、外部の認証サーバ２１に接続する（ステップＰ１２）。そして、この認証サーバ２１に記憶されている第３の認証部２２に対し、主メモリ６に記憶されている第１の認証部２５によるコンテンツ閲覧部１０に対する認証結果と、第２の認証部２４ｃによる拡張閲覧部１６ｃに対する認証結果とを比較認証を行わせる。すなわち、第３の認証部２２で、開発者しか知り得ない特殊なインタフェース（Ｉ／Ｆ）を用いて、先の第１の認証部２５の認証結果、および先の第２の認証部２４ｃの認証結果を再評価する（ステップＰ１３）。再評価（比較認証）結果を主メモリ６へ書き込む（ステップＰ１４）。このとき、第１の認証部２５による認証結果を記憶部５に書き込むように構成してもよいものとする。
【００７１】
そして、例えば、既存の認識技術（VeriSign）（登録商標））で実行される評価結果が不当な場合には（ステップＰ１５）、異常メッセージを表示し（ステップＰ１６）、コンテンツ１３ｃに対する閲覧を中止する。
【００７２】
評価結果が正当な場合（ステップＰ１５）、閲覧動作管理部８は、コンテンツ１３ｃに対する閲覧の準備が終了したと判断する。そして、閲覧動作管理部８は、ＩＣカードリーダ７でメモリカード１２ｃに記憶されている所定量のコンテンツ１３ｃを読みとる（ステップＰ１７）。この読みとった所定量のコンテンツ１３ｃを記憶部５に書き込まれた拡張閲覧部１６ｃを用いて解釈し（ステップＰ１８）、コンテンツ再生画面作成部９が拡張閲覧部１６ｃで解読されたコンテンツ１３ｃを表示器３に表示出力する（ステップＰ１９）。
【００７３】
この場合、記憶部５に記憶された基本ＧＵＩ操作部１１は、コンテンツ１３ｃが表示器３に表示された状態で操作者との間でＧＵＩ操作を行い、前述したＧＵＩ操作に必要なページめくりや再生などの操作ボタン等の画面を表示する。
【００７４】
所定量のコンテンツ１３ｃに対する表示処理が終了し、未表示のコンテンツ１３ｃが残っていれば（ステップＰ２０）、ステップＰ１７へ戻り、メモリカード１２ｃに記憶されている次の所定量のコンテンツ１３ｃを読みとる。
【００７５】
未表示のコンテンツ１３ｃが無ければ、または操作者の閲覧終了操作が実施されると（ステップＰ２０）、コンテンツ１３ｃに対する閲覧処理を終了する。
【００７６】
このように構成された第３実施形態のコンテンツ閲覧装置１９においては、メモリカード１２ｃに、例えば新フォーマットを有するコンテンツ１３ｃを解釈するための拡張閲覧部１６ｃの他に、第２の認証部２４ｃが記憶されている。メモリカード１２ｃをコンテンツ閲覧装置のＩＣカードリーダ７へ装着し、拡張閲覧部１６ｃをコンテンツ閲覧装置のコンテンツ閲覧部１０にインストールした場合において、この第２の認証部２４ｃは、コンテンツ閲覧装置１９の主メモリ６に書込まれる。
【００７７】
そして、第２の認証部２４ｃにて、拡張閲覧部１６ｃに対してワームやウイルスが侵入しているか否かのチェックが実施され、ワームやウイルスが侵入していれば、異常メッセージを表示し、コンテンツ１３ｃに対する閲覧を中止する。したがって、コンテンツ閲覧装置の安全性が確保される。
【００７８】
さらに、この第３実施形態のコンテンツ閲覧装置においては、記憶部５に記憶されているコンテンツ閲覧部１０の正当性が、同じく記憶部５に記憶されている第１の認証部２５にてチェックされる。
【００７９】
さらに、第２の認証部２４ｃにて実施された拡張閲覧部１６ｃに対するチェック結果（評価結果）、および第１の認証部２５にて実施されたコンテンツ閲覧部１０に対するチェック結果（評価結果）は、外部の認証サーバ２１に記憶されている第３の認証部２２で再確認している。このように、コンテンツ閲覧装置にインストールされた拡張閲覧部１６の安全性を二重、三重にチェックしているので、コンテンツ閲覧装置の安全性がより一層向上する。
【００８０】
なお、メモリカード１２ｃ内に、コンテンツ１３ｃ、拡張閲覧部１６ｃ、第２の認証部２４ｃに加えて、第１実施形態のコンテンツ閲覧装置で採用したコンテンツ専用ＧＵＩ操作部１５を記憶するようにしてもよい。
【００８１】
なお本発明は上述した各実施形態に限定されるものではない。各実施形態においては、コンテンツパッケージデータとしてメモリカードを採用したが、メモリカードに限定されるものではなく、他の情報記憶媒体であってもよい。さらに、コンテンツについても、暗号化されていないコンテンツ、および何らかの暗号化されたコンテンツであってもよい。
【図面の簡単な説明】
【００８２】
【図１】本発明の第１実施形態に係わるコンテンツ閲覧方法が適用されるコンテンツ閲覧装置の概略装置を示すブロック構成図。
【図２】同実施形態のコンテンツ閲覧装置の動作を示す流れ図。
【図３】本発明の第２実施形態に係わるコンテンツ閲覧方法が適用されるコンテンツ閲覧装置の概略装置を示すブロック構成図。
【図４】同実施形態のコンテンツ閲覧装置の動作を示す流れ図。
【図５】本発明の第３実施形態に係わるコンテンツ閲覧方法が適用されるコンテンツ閲覧装置の概略装置を示すブロック構成図。
【図６】同実施形態のコンテンツ閲覧装置と外部の認証サーバとの関係を示す図。
【図７】同実施形態のコンテンツ閲覧装置の動作を示す流れ図。
【符号の説明】
【００８３】
１…システムバス、２…ＣＰＵ、３…表示器、４…操作部、５…記憶部、６…主メモリ、７…ＩＣカードリーダ、８…閲覧動作管理部、９…コンテンツ再生画面作成部、１０…コンテンツ閲覧部、１１…基本ＧＵＩ操作部、１２，１２ａ，１２ｂ，１２ｃ…メモリカード、１３，１３ａ，１３ｂ，１３ｃ…コンテンツ、１４…イベント対応スクリプト、１５，１５ａ…コンテンツ専用ＧＵＩ部、１６ｂ，１６ｃ…拡張閲覧部、１７ｂ…再利用可否情報、１８…再利用フラグ、１９…コンテンツ閲覧装置、２０…ネットワーク、２１…認証サーバ、２２…第３の認証部、２３…通信部、２４ｃ…第２の認証部、２５…第１の認証部
【図１】
2006059076.tif 000003
【図２】
2006059076.tif 000004
【図３】
2006059076.tif 000005
【図４】
2006059076.tif 000006
【図５】
2006059076.tif 000007
【図６】
2006059076.tif 000008
【図７】
2006059076.tif 000009